【事件の表示】
　平成　５年特許願第２０４５８８号「情報記録媒体の記録／再生装置」拒絶査定不服審判事件〔平成　７年　２月１４日出願公開、特開平　７−　４４９７０〕について、次のとおり審決する。
【結　論】
　本件審判の請求は、成り立たない。
【理　由】
１．手続の経緯、本願発明
　本願は、平成５年７月２７日の特許出願であって、その請求項１及び２に係る発明は、平成１２年７月２６日付け及び平成１４年１０月２１日付けの各手続補正により補正された明細書及び図面の記載からみて、その特許請求の範囲の請求項１及び２に記載されたとおりのものと認められるところ、請求項１に係る発明（以下、「本願発明」という）は、次のとおりである。
　
「【請求項１】　複数の情報記録媒体を収納可能な媒体収納手段と、該媒体収納手段の各収納領域に前記情報記録媒体を搬送する搬送手段と、前記情報記録媒体の記録又は再生を行う記録／再生手段とを備えた情報記録媒体の記録／再生装置において、
　前記媒体収納手段に対する前記情報記録媒体の収納を指定する収納指定手段と、
　前記収納指定手段による前記収納指定により、前記情報記録媒体を前記媒体収納手段の所定の空き収納領域に収納する途中で、前記情報記録媒体を前記記録／再生手段に装着して識別情報を読み取り記憶する制御手段とを、
具備したことを特徴とする情報記録媒体の記録／再生装置。」
　
２．引用例
１）第１引用例
　これに対し、原査定の拒絶の理由で引用された、本願出願前に頒布された刊行物である、特開平３−２２２１４６号公報（以下、「第１引用例」という）には、図面とともに次の技術事項が記載されている。
　
（ａ）「産業上の利用分野」について、
「本発明は、多種類のディスクを複数枚収納し、外部操作によって収納した所望のディスクを選択、再生すると共に、収納したディスクを１枚ずつ入れ替えでき、かつ、収納したディスク以外のディスクも通常のシングルプレーヤ感覚で再生することが可能なディスクのオートチェンジャ装置に関する。」（１頁左下欄第２０行〜同頁右下欄第６行）
　
「実施例」の説明で、図１〜４を参照して
（ｂ）
「図において、1,1は、図示しないキャビネット内の両側面に沿ってやはり図示しないベースに立設される一対のアングルで、このアングル1,1間の上面の一端部には、フロントアングル２が、また他端部には、リヤアングル３が配設され、上記各アングルで構成されるケーシングとしての筐体内に本装置のメカ部が配設されるようになされている。また、上記アングル1,1の後方で本装置の背面側には、後述するように11箇所のトレイ収納棚が形成され、各棚に１枚ずつトレイが収納されるトレイ収納部４を構成する一対のトレイホルダ5,5が立設されており、このトレイホルダ5,5間の上面が上記リヤアングル３で覆われるようになされている。
　上記アングル1,1間には、上記各種メカ部が載置されるラック状で、その前後四隅に立ち上がり部6a,6bを有するリンクベース６が配設されており、このリンクベース６は、後側の一対の立ち上がり部6b,6bに突設された枢支ピン7,7を中心として上記アングル1,1に回動可能に支持されている。」（２頁左下欄第４行〜同頁右下欄第４行）
（ｃ）
「また、上記リンクベース６の上方には、後述する各種メカ部が取り付けられたサブシャーシ10が支持されており、上記サブシャーシ10の前側が、その両側のピン11,11を介して上記リンクベース６の前側の一対の立ち上がり部5a,5a間に枢支されると共に、サブシャーシ10の後側が、上記前側のピン11,11と同じ高さ位置にある両側のピン12,12を介して上記一対の昇降リンク8,8の各腕部8a,8a間に枢支されるようになされている。これにより、上記リンクベース６、昇降リンク8,8及びサブシャーシ10が一連に結合した状態となっている。」（２頁右下欄第１１行〜３頁左上欄第３行）
（ｄ）
「従って、上記リンクベース６及びサブシャーシ10の両側には、それぞれ、上記連結レバー15、リンクベース６、サブシャーシ10及び昇降リンク８の各点7,9,12,11及び各点7,9,13,14を結んで２つの平行リンクが形成されるようになっている。」（３頁左上欄第１２行〜第１７行）
　
第５図を含めて参照して
（ｅ）
「上記一方のアングル１（右方）の外面には、その上端部及び下端部に長手方向に延びる案内レール16,16が突設されており、この案内レール16,16には、スライド板17がアングル１の外面に沿って摺動可能に係合している。上記スライド板17の下面には、その長手方向にラック18が刻設されており、このラック18と歯合するピニオン19を駆動するディスクセレクト駆動ユニットM1が上記アングル１の内側に配設されている。また、上記スライド板17には、スライド板17の長手方向前方から後方に向かって上方に傾斜した階段状のカム溝20が形成されており、上記サブシャーシ10の後側の一方のピン12（右方）が、このピン12の軌跡に沿って上記一方のアングル１（右方）に形成された円弧溝21を介してアングル１の外側に貫通し、上記カム溝20と係合するようになされている。
  従って、上記ディスクセレクト駆動ユニットM1により上記ピニオン19が回転駆動すると、上記スライド板17がアングル１に沿って長手方向に移動するようになり、このスライド板17のカム溝20と係合する上記サブシャーシ10のピン12（右方）が、スライド板17の移動とともに上記カム溝20及びアングル１の円弧溝21に沿って上下方向に移動するようになる。そして、この右方のピン12が上下方向に移動すると、上述したリンク結合から上記サブシャーシ10が水平状態を保持しつつ上下動するようになる。」
（３頁左下欄第３行〜同頁右下欄第１１行）
（ｇ）
「上述のようにして上下動するサブシャーシ10の上面には、装脱装置（トレイが装置外に引き出された状態）、イジェクト可能位置（本装置の正面開口部に対応した位置で演奏も可能な位置）及び収納位置との間を移動するトレイ24を載置したトレイベース25が設けられており、また上記サブシャーシ10の下面には、その左方に上記トレイベース25及びトレイ24を駆動するローディング駆動ユニットM2が、またその中央部にディスク演奏を行う再生駆動ユニットM3が取付けられて、再生手段を構成するようになされている。」（４頁左上欄第１１行〜同頁右上欄第１行）
　
（ｈ）
「次に、上記サブシャーシ10に取り付けられた上記ローディング駆動ユニットM2、トレイのローディング機構及び再生駆動ユニットM3について、第６図乃至第16図をも参照して説明する。
  上記サブシャーシ10の下面のローディング駆動ユニットM2は、上述したようにトレイベース25及びこれに載置されたトレイ24をサブシャーシ10上で水平移動させるもので、懸架部材26を介してサブシャーシ10下方に支持されたシャーシ27にモータ28、各種プーリ29及び歯車30が取付けられたものである。また、上記サブシャーシ10の上面には、その両側縁部にガイドレール31,31が設けられており、このガイドレール31,31の相対向する面には、上記トレイベース25の外側面に形成された凹溝32,32と係合し、トレイベース25を案内する突条33,33が形成されている。
  上記ローディング駆動ユニットM2は、第14図及び第15図に示したように、プーリ29aを介して同一方向に同期して回転する一対の駆動歯車30a,30bを有している。そして、この駆動歯車30a,30bが、サブシャーシ10の切欠き34,34を通ってサブシャーシ10の上面に突出するようになされ、この駆動歯車30a,30bの突出部分が、上記左側のガイドレール31の突条33の真下に位置すると共に、この突条33と係合するトレイベース25の左外側面の凹溝32を構成する下縁部に形成されたラック35と歯合するようになされている。そして、この駆動歯車30a,30bとラック35との歯合により、上記ローディング駆動ユニットM2の駆動力が上記トレイベース25に伝達され、トレイベース25が水平方向に移動（ローディング動作及びイジェクト動作）するようになされている。
  なお、上記駆動歯車30a,30bとラック35との歯合が滑らかに行われるように、上記ローディング駆動ユニットM2は、上記懸架部材26を中心としてユニット全体が僅かに回動できるようになされており、また十分な歯合が得られるように駆動ユニットM2にはスプリング36による引張り力が作用している。
  また、上記サブシャーシ10の上面のトレイ搬送手段としてのトレイベース25には、トレイ24と、後述するように１枚のトレイ24をトレイ収納部４から引き出してくるトレイ搬送手段の一部であるトレイハンガー37とが載置されており、上記トレイ24の上面には、12cm、8cm等のコンパクトディスクやビデオディスク等の各種ディスクが載せられるようになされている。上記トレイハンガー37は、トレイ24を本装置の正面側（引き出し側）から把持するようになされており、トレイハンガーのフック部38,38がトレイ24の両側縁部の切欠き39,39に係合してトレイ24と一体になり、この状態で、トレイハンガー37とトレイ24の両側面がほぼ面一になるようになされている。そして、上記一体となったトレイハンガー37とトレイ24の両側縁部が、上記トレイベース25の内側面に形成された凹溝40,40と係合して案内されるようになされている。
  また、上記トレイベース25には、後述する倍速機構を構成するピニオン41が、トレイベース25の左内側面の凹溝40内に位置するように軸支されており、トレイベース25の下面より突出する上記ピニオン41の下半部が上記サブシャーシ10の上面に設けられたローディング方向に延びるラック42と歯合すると共に、上記ピニオン41の上半部が上記トレイベース25に載置されたトレイハンガー37とトレイ24との左側縁部下面に形成されたラック43と歯合するようになされている。
  従って、上記サブシャーシ10上に水平移動可能に設けられ、その上面にトレイハンガー37とトレイ24とが一体となって載置されたトレイベース25が、第６図及び第７図に示したように、本装置正面の開口部44から装脱位置まで引き出された状態では、第13A図のようにローディング駆動ユニットM2の一方の駆動歯車30aとトレイベース25のラック35とが歯合した状態にある。
  ここで、上記ローディング駆動ユニットM2が作動すると、上記駆動歯車30aの回転によりトレイベース25が引き込まれ、上記駆動歯車30aと同期して回転する駆動歯車30bと上記ラック35とが歯合するようになる。さらに、上記トレイベース25が引き込まれ、第８図、第９図、第10図及び第13B図に示したように、トレイベース25とともに移動するトレイハンガー37及びトレイ24が上記サブシャーシ10の上方に位置するイジェクト可能位置（演奏位置）までくると、それまでトレイ37,24側のラック43とのみ歯合し、かつ回転していなかった上記ピニオン41が上記サブシャーシ10側のラック42と歯合するようになる。
  さらに、上記トレイベース25が上記イジェクト可能位置（演奏位置）を過ぎて、第11図、第12図及び第13C図に示したようなトレイホルダ5,5にトレイ24を収納する収納位置まで移動すると、トレイベース25上面のトレイハンガー37とトレイ24、及びトレイベース25に軸支された上記ピニオン41が、トレイベース25とともに距離ｌだけ移動する一方、上記ピニオン41のラック42上の距離ｌだけの回転移動により、ピニオン41とラック43を介して歯合する上記トレイハンガー37とトレイ24とが、上記ピニオン41の回転とともに送り出されて距離ｌだけ移動するようになる。
  従って、第13B図及び第13C図に示したように、イジェクト可能位置（演奏位置）から収納位置までトレイベース25が距離ｌだけ移動すると、その間に一体となったトレイハンガー37及びトレイ24が距離2lだけ移動するようになり、このような倍速機構によりトレイ24の十分な水平移動量を稼ぐことができるようになされている。
  なお、上記トレイベース25の左外側面の凹溝32内には、回動可能なストッパ45が設けられており、第６図に示したように、上面にトレイハンガー37及びトレイ24が一体に載置された状態でトレイベース25が装脱位置まで引き出された時に、上記ストッパ45の一端面45aが上記サブシャーシ10の左側ガイドレール31の突条33と当接し、ストッパ45が反時計方向へ回転しないようになされている。これにより、通常のディスク再生装置と同じように、上記装脱位置にあるトレイベース25部分を装置内に手で押し込む場合に、トレイハンガー37部分のみを押し込んだとしても、上記回転しないストッパ45の他端面45bと上記トレイ24とが当接し、上面のトレイハンガー37とトレイ24部分のみが装置内に押し込まれてトレイベース25が装置内に押し込まれなくなるというようなことがなく、第８図に示したように、上記トレイハンガー37、トレイ24及びトレイベース25が一緒に装置内に、即ちイジェクト可能位置（演奏位置）まで押し込まれるようになる。また、上記トレイベース25部分がイジェクト可能位置（演奏位置）まで完全に押し込まれると、第９図に示したように、上記左側ガイドレール31の突条33のローディング方向側端部に形成された切欠き46により、上記ストッパ45の一端面45aと突条33との係合がとけてストッパ45が反時計方向に回転できるようになり、これによりイジェクト可能位置（演奏位置）にあるトレイベース25上のトレイハンガー37及びトレイ24部分の収納位置への移動ができるようになされている。
　また、上記再生駆動ユニットM3は、上述したイジェクト可能位置（演奏位置）にあるトレイ24に載置されたディスクを再生するもので、第６図及び第10図に示したように、上記サブシャーシ10下面にトレイホルダ５側を枢支軸として支持されるシャーシ47上にターンテーブル48、ピックアップ、各種サーボシステム等が載置されたものである。
  そして、ディスク再生時は、再生駆動ユニットM3のシャーシ47全体が上方に移動し、トレイ24上のディスクがターンテーブル48で下から持ち上げられると共に、サブシャーシ10の上方に配設されたクランパユニット49で押さえられ、回転駆動されるようになされている。
　また、上述したようにして再生されたディスクは、そのディスクを載せるトレイ24とともに上述したローディング動作により、第11図及び第12図に示したように、上記トレイホルダ５で構成されるトレイ収納部４に収納されるようになされている。上記トレイ収納部４には、上述したように11枚のトレイ24を収納できる収納棚があり、ディスクの有無に関係なく常に10枚のトレイ24が収納されており、残りの１枚は、後述するように、空トレイとしてイジェクト可能位置（演奏位置）にあるトレイベース25上にトレイハンガー37とともに載置されるようになされている。また、上記トレイハンガー37及びトレイ24を載置したトレイベース25をその上面に載置して上下動するサブシャーシ10が、第３図及び第５図に示したように上記昇降リンク8,8の枢支ピン9,9を中心とした円弧状の軌跡を描いて移動するので、上述したトレイベース25のローディング動作で上記トレイ収納部４に収納される10枚のトレイ24も、第16図に示したように、略円弧状に積層されるようになされている。このため、上記トレイ収納部４を構成するトレイホルダ５は、本装置正面側が膨出した形状となっている。」（４頁右上欄第２行〜６頁左下欄第４行）
　
（ｉ）
「第18図に示したように、ディスクの記録情報は光学式ピックアップ50で読み取られるようになされており、この光学式ピックアップ50からの信号が信号処理回路51を介してオーディオ信号に変換され、この変換された信号が増幅器52で増幅されてスピーカ53に送られるようになされている。また、上記信号処理回路51からは、上記ピックアップからの信号に基づいたプレイ終了信号も出力されるようになされており、このプレイ終了信号が、第19図及び第20図のフローチャートに示す動作をする制御回路54に送られるようになされている。
  また、上記制御回路54には、上記上下動するサブシャーシ10に載置されたトレイベース25が本装置正面の開口部44と対応する位置、即ちイジェクト可能位置にあるか否かを検知するメカ部の位置検出センサ55や、上記トレイ24上にディスクが載せられているか否かを検知するディスクの有無検出センサ56や、本装置正面に設けられた操作キー57からの信号が入力されるようになされており、これらの入力信号により上記制御回路54が後述する動作を行い、メカ部駆動回路58に所定の命令信号を出力するようになされている。」（６頁右下欄第１５行〜７頁左上欄第１８行）
　
（ｊ）
「次に、ディスクの収納動作について第20図を参照して説明する。
  この場合、トレイ収納部４にはディスクを載せたトレイ24が何枚か収納されているとする。
  このような状態でイジェクト可能位置にある11枚目の空トレイを使ってシングルプレーヤとして新たなディスクを演奏した結果そのディスクが気に入り、この新ディスクを既に収納してあるディスクのうちの１枚と入れ替える場合には、まず上記操作キー57によりストック指令とその新ディスクの登録番号をキー入力する（ステップ１）。すると、上記トレイ上のディスク有無検出センサ56からの信号で、上記空トレイに新ディスクが載っているかが判別され（ステップ２）、ディスクが載っていれば次に、既に記憶されているディスクの各種情報と照らし合わせて新ディスクの番号としてキー入力した登録番号が空いているかが判別される（スッテプ３）。
  そして、上記登録番号が空いていれば、イジェクト可能位置にある新ディスクを載せたトレイがトレイ収納部４の空箇所に収納され、キー入力された登録番号と新ディスクの情報が記憶されるステップ４）。ここで、記憶されるディスクの情報とは、そのディスクの演奏時間等、ディスクの内容を示す所謂TOC情報である。そして、トレイ収納部にあるまだ登録番号が付いていない、即ちディスクが載っていない任意のトレイ24が新たな空トレイとして上記したイジェクト可能位置まで搬送される（ステップ５）。
  また、上記登録番号が既に使われている、即ちキー入力した登録番号を持つディスクが既に収納されている場合は、その登録番号の旧いディスクの情報が登録番号とともに消され、この旧ディスクを載せたトレイ24が新たな空トレイとして作用するようになる（ステップ６）。そして、新ディスクを載せたイジェクト可能位置にある空トレイがトレイ収納部４の空箇所に収納され、キー入力された登録番号と新ディスクの情報が記憶される（ステップ７）。さらに、記憶した情報が全て消された旧登録番号の旧ディスクを載せた新たな空トレイとして作用するトレイ24が、11枚目の空トレイとして上記したイジェクト可能位置まで搬送される（ステップ８）。」（８頁左上欄第１６行〜同頁左下欄第１７行）
　
　上記記載事項及び図面の記載を総合勘案すると、上記第１引用例には、結局、次の発明（以下、「引用発明」という）が記載されている。
　
　「11箇所のトレイ収納棚が形成され、各棚に１枚ずつトレイが収納されるトレイ収納部４と、
　サブシャーシ10の上面に設けられ、トレイ搬送手段としてのトレイベース25と、
　前記トレイベースに載置され、上面には、12cm、8cm等のコンパクトディスクやビデオディスク等の各種ディスクが載せられるようになされているトレイ24と、
　同じく前記トレイベースに載置され、１枚のトレイ24をトレイ収納部４から引き出してくるトレイ搬送手段の一部であるトレイハンガー37と、
　イジェクト可能位置（演奏位置）にあるトレイ24に載置されたディスクを再生するもので、サブシャーシ10下面にトレイホルダ５側を枢支軸として支持されるシャーシ47上にターンテーブル48、ピックアップ、各種サーボシステム等が載置されたものである再生駆動ユニットM3とを備え、
　ストック指令と新ディスクの登録番号をキー入力する上記操作キー57と、
　前記キー入力をすると、トレイ上のディスク有無検出センサ56からの信号で、上記空トレイに新ディスクが載っているかが判別され、ディスクが載っていれば次に、既に記憶されているディスクの各種情報と照らし合わせて新ディスクの番号としてキー入力した登録番号が空いているかが判別され、 そして、上記登録番号が空いていれば、イジェクト可能位置にある新ディスクを載せたトレイがトレイ収納部４の空箇所に収納され、キー入力された登録番号と、新ディスクの情報（そのディスクの演奏時間等、ディスクの内容を示す所謂TOC情報）が記憶されるように動作する制御回路５４と、
　を備えたディスクのオートチェンジャ装置」
　
２）　第２引用例
　同じく、原査定の拒絶の理由で引用された、本願出願前に頒布された刊行物である、特開平３−１２０５８号公報（以下、「第２引用例」という）には、図面とともに次の技術事項が記載されている。
　
（ｋ）産業上の利用分野について
「本発明はフロッピィディスク収納装置に関する。」（１頁右下欄第３行）
（ｌ）課題を解決するための手段について
「本発明のフロッピィディスク収納装置は、フロッピィディスクのインデックス部の情報を読み取る情報読取部と、読み取ったフロッピィディスクのインデックス部の情報を表示する情報表示部と、読み取ったフロッピィディスクのインデックス部の情報を検索し易い形態で記憶する情報記憶部と、記憶したフロッピィディスクのインデックス部の情報を基にして収納されたフロッピィディスクの検索を行う情報検索部と、フロッピィディスクの出し入れを行う媒体出入部と、複数のフロッピィディスクを収納する媒体収納部と、フロッピィディスクのインデックス部の情報の読み取り指示や検索の指示を行う操作パネル部と、各部を制御する制御部とを有して構成されている。」（２頁右上欄第２行〜第１５行）
　
（ｍ）実施例について、第１，２図を参照して
「第１図に示すように、本実施例のフロッピィディスク収納装置は、フロッピィディスクの出し入れを行う媒体出入部１，読み取ったフロッピィディスクのインデックス情報や収納されているフロッピィディスクを検索した結果を表示する情報表示部２、操作指示や検索指示を行う操作パネル部３、情報読取部、情報記憶部、情報検索部、制御部を有する中央制御部４を備えて構成されている。
　次に、本実施例のフロッピィディスク収納装置の機能を操作例を示して説明する。
　第２図はフロッピィディスクを収納する場合における各部の関係を示すブロック図である。
　まず、第２図に示すように、フロッピィディスクを媒体挿入部１に差し込むと、情報読取部４−１により、フロッピィディスクのインデックス部の情報を読み取り、情報表示部２に表示する。
　そこで、表示された情報の確認とフロッピィディスクの収納位置とを操作パネル部３において制御部４−４を通じて指示すると、表示された情報とフロッピィディスクの収納位置とが情報記憶部４−２に記憶され、差し込んだフロッピィディスクは媒体収納部に収納される。
　なお、フロッピィディスクの収納方法としては、媒体収納部の空き位置を自動的に検出する方法と収納位置を直接指定する方法とがある。」（２頁左下欄第１行〜同頁右下欄第６行）
　
　
３．対比
　本願発明と引用発明とを比較する。
　引用発明の「トレイ収納部」は、本願発明の「媒体収納手段」に相当する。
　引用発明の「トレイベース２５」「トレイ２４」及び「トレイハンガー３７」等は全体として、本願発明の「搬送手段」に相当する。
　引用発明の「再生駆動ユニットＭ３」は、少なくともディスクの再生を行うためのターンテーブル48、ピックアップ、各種サーボシステム等を備えているのであるから、本願発明の「記録又は再生を行う記録／再生手段」に相当する。
　引用発明の「操作キー57」は、少なくともストック指令と新ディスクの登録番号をキー入力するものであるから、本願発明の「収納指定手段」に相当する。
　引用発明の「制御回路５４」は、上記ストック指令によりディスクを載せたトレイを収納するとともに、ディスクの情報を記憶するものである点に限り、本願発明の「制御手段」に相当する。
　引用発明の「ディスクのオートチェンジャ装置」は、明らかに情報記録媒体の一形態であるディスクを少なくとも再生することを前提としたものであるから本願発明の「情報記録媒体の記録／再生装置」に相当する。
　
　すると、本願発明と引用発明とは次の点で一致する。
（一致点）
　複数の情報記録媒体を収納可能な媒体収納手段と、該媒体収納手段の各収納領域に前記情報記録媒体を搬送する搬送手段と、前記情報記録媒体の記録又は再生を行う記録／再生手段とを備えた情報記録媒体の記録／再生装置において、
　前記媒体収納手段に対する前記情報記録媒体の収納を指定する収納指定手段と、
　前記収納指定手段による前記収納指定により、前記情報記録媒体を前記媒体収納手段の所定の空き収納領域に収納し、識別情報を記憶する制御手段とを、
具備した情報記録媒体の記録／再生装置。
　
　一方、次の点で相違する。
（相違点）
　本願発明の制御手段は、収納指定手段により情報記憶媒体を媒体収納手段の所定の空き収納領域に「収納する途中で、前記情報記録媒体を前記記録／再生手段に装着して識別情報を読み取り」、当該識別情報を記憶するのに対し、引用発明ではそのような制御を行うことが開示されていない点。
　
４．判断
　そこで、上記相違点について検討する。
　第２引用例に記載されたフロッピィディスク収納装置は、文字どおり最終的にはフロッピィディスクを収納することを目的とした装置であるから、上記（ｍ）に摘記した操作例に示された「フロッピィディスクを媒体挿入部１に差し込む」ことは、フロッピィディスクの収納を意図してなされる操作で、引用発明のストック指令及び本願発明の収納指定に対応するものである。すると、本来収納を目的とする収納装置である以上、上記差し込む動作に応答して、フロッピィディスクを収納することが基本的な動作と考えられるところ、第２引用例に記載されたフロッピィディスク収納装置では、収納の前に
（あ）「情報読取部４−１により、フロッピィディスクのインデックス部の情報を読み取り、」及び
（い）「表示された情報とフロッピィディスクの収納位置とが情報記憶部４−２に記憶され、」
の各動作（中央制御部４が行うものである）を行っている。これら各動作は、媒体収納部の空き位置に収納する「途中で」行われる動作であるとすることができる。
　この点につき、審判請求人は、請求理由において、「第２頁左下欄１５行目乃至同右下欄３行目に記載されていますように、先ず（フロッピー）ディスクを挿入することによりインデックス部の情報を読み取り、情報を表示し、その表示された情報を確認し、収納の操作を行うというもの、すなわち、収納の操作が情報の読取の後に行われるという発明が記載されております。」などとして、本願発明の「収納指定手段による収納指定により、情報記録媒体を媒体収納手段の所定の空き収納領域に収納する途中で、情報記録媒体を記録／再生手段に装着して識別情報を読み取り記憶する制御手段を有する」ものと異なる旨主張しているが、表示された情報の単なる確認は、収納の操作自体とは異なるものである。本願発明においても、請求項の記載上、そのような単なる確認動作まで排除されているとすることはできないし、既に検討したように、フロッピィディスクの収納を目的とする装置にフロッピィディスクを差し込むことは、通常、それ自体が収納を意図したものであって、引用発明のストック指令及び本願発明の収納指定に対応することは明らかで、収納を開始させる操作と解するのが妥当であるから、引用発明について「収納の操作が情報の読取の後に行われる」と解することは不適切である。
　第２引用例に記載されたフロッピィディスク収納装置は、複数の情報記録媒体を収納すると共に、それら複数の情報記録媒体の個別の情報を記憶して識別し、その情報をもとに、特定の情報記録媒体を取り出すことができるように管理するものである点で、引用発明と極めて近接した技術分野に属することが明らかであるから、引用発明の制御回路に、ストック指定に応じて上記（あ）（い）の各動作を付加して、相違点について本願発明のようにすることは、当業者が容易に想到しうるものである。
　又、作用効果についても、当業者が予測しうるものにすぎない。
　
　以上の検討からすると、、本願発明は、引用発明及び第２引用例に記載された技術事項に基づいて当業者が容易に発明をすることができたものである。
　
５．むすび
　以上のとおり、本願の請求項１に係る発明は、特許法第２９条第２項の規定により特許を受けることができないものであるから、本願は、その余の請求項について論及するまでもなく、拒絶すべきものである。
　
　よって、結論のとおり審決する。